(57)【特許請求の範囲】
【請求項１】
血糖値を測定するための血糖測定装置と、
体内にインスリンを投与するためのインスリン送出装置と、
前記インスリン送出装置と前記血糖測定装置とを互いに相対移動可能に結合する取り付け機構と
を備え、
前記血糖値測定装置は、前記インスリン送出装置へデータを送信するための第１無線データ通信部を含み、
前記インスリン送出装置は、前記第１無線データ通信部からのデータの受信と、外部装置との間のデータの授受とを、行うための第２無線データ通信部を含み、
前記取り付け機構は、前記血糖測定装置を、前記インスリン送出装置の前記第２無線データ通信部が前記第１無線データ通信部からのデータを受信でき、且つ、前記第２無線データ通信部による前記データの授受の障害となる第１位置と、前記第２無線データ通信部による前記データの授受を妨害しない第２位置とに、前記インスリン送出装置から分離させることなく前記インスリン送出装置に対して相対移動させる
血糖値制御システム。
【請求項２】
前記取り付け機構は、前記インスリン送出装置に対して前記血糖測定装置を回動又は摺動可能に結合するものである、請求項１に記載の血糖値制御システム。
【請求項３】
前記外部装置は、体内に植え込んで使用する第２の血糖測定装置であり、
前記血糖測定装置および前記インスリン送出装置のうちの少なくとも一方は、前記第２の血糖測定装置とのデータ通信を行なえるように構成されている、請求項１または２に記載の血糖値制御システム。
【請求項４】
前記第２無線データ通信部は、前記第２の血糖測定装置とのデータ通信が可能であり、
前記インスリン送出装置は、通信対象として、前記血糖測定装置または前記第２の血糖測定装置を選択するための選択手段をさらに備えている、請求項３に記載の血糖値制御システム。
【請求項５】
前記選択手段は、前記インスリン送出装置に設けられたスイッチである、請求項４に記載の血糖値制御システム。
【請求項６】
前記選択手段は、前記インスリン送出装置に対する前記血糖測定装置の相対位置に応じて、前記通信対象を選択するものである、請求項４又は５に記載の血糖値制御システム。
【請求項７】
前記選択手段は、複数のスイッチを含んでおり、前記複数のスイッチのオン状態またはオフ状態の組み合わせにより、前記通信対象を選択する、請求項４〜６のいずれか一項に記載の血糖値制御システム。
【請求項８】
前記外部装置は、外部情報処理装置である請求項１または２に記載の血糖値制御システム。
【請求項９】
前記血糖測定装置および前記インスリン送出装置は、防水性または耐水性を有するハウジングを備えている、請求項１〜８のいずれか一項に記載の血糖値制御システム。
【請求項１０】
前記血糖測定装置は、試験片を挿入するための挿入口と、前記挿入口を閉鎖するための閉鎖手段を備えている、請求項１〜９のいずれか一項に記載の血糖値制御システム。
【発明の詳細な説明】
【技術分野】
【０００１】
本発明は、血糖測定装置およびインスリン送出装置を含む血糖値制御システムに関するものである。
【背景技術】
【０００２】
血糖値を正常範囲に維持することは、糖尿病性網膜症、糖尿病性腎症、糖尿病性神経障害などの糖尿病の合併症を防止するのに重要である。一部の糖尿病患者は、自己の血糖値を所望の範囲内に維持するために、インスリン投与を必要とする。これらの糖尿病患者は、通常、血糖値をモニタしつつ、注射器を用いて自身でインスリンの投与を行なっている。注射器によるインスリン投与では、インスリンの投与時に血流内のインスリン濃度が高まる。しかしながら、注射器によるインスリンの投与では、体内で産出されたインスリンの挙動のように、長時間にわたって低い濃度のインスリンを血流内に存在させることは困難である。【０００３】
近年、インスリン注入量を自動的に制御するインスリン送出装置が使用されている。インスリン送出装置は、インスリンの送出量やタイミングがプログラムされたものである。このインスリン送出装置では、より生理的に近い条件で、長い期間にわたってゆっくりとインスリンを注入することができるため、血糖値を所望の範囲に維持するのに効果的である。インスリン送出装置は、小型化されてきており、小型化されたインスリン送出装置を糖尿病患者の身体に日常的に装着することも行われている。【０００４】
一方、血糖値のモニタは、一般に生体外測定法を適用した小型血糖測定装置を用いて、定期的に血糖値を測定することにより行なわれている。【０００５】
代表的な小型血糖測定装置は、グルコース酸化還元酵素を保持した試験片を使用するものである。小型血糖測定装置を用いた血糖値測定は、小型血糖測定装置の挿入口に試験片を挿入し、携帯型ランセットデバイスで指先などの皮膚を切開して得られた血液試料を試験片上へ供給することにより行なわれる。これにより、小型血糖測定装置では、試験片内部での酵素反応に起因する電荷移動量又は呈色レベルに基づいて血糖値を演算することができる。【０００６】
現在では、小型血糖測定装置とインスリン送出装置とを組み合わせて使用し、小型血糖測定装置による血糖値のモニタ結果に応じて、血液へのインスリンの送出量を調節することも行われる。（例えば特許文献１，２参照）【０００７】
特許文献１には、インスリン送出装置に血糖測定機能を付与したものが開示されている。このようなインスリン送出装置は、装置が大型化するため身体に装着して使用する場合には使用者の負担が大きい。また、入浴時などのようにインスリン送出装置が水に接触する環境下では、装置の防水化が必要であるばかりでなく、試験片を挿入するための挿入口が存在するために装置の内部に水が入り込む可能性が大きい。【０００８】
特許文献２には、インスリン送出装置と小型血糖測定装置とをアダプタにより合体することが開示されている。この構成では、インスリン送出装置に対して小型血糖測定装置を合体させることで、小型血糖測定装置による血糖値の測定結果をインスリン送出装置に送信することができる。測定結果のデータ送信には、赤外線等の汎用の近距離無線通信手段が採用されている。このようなインスリン送出装置では、入浴時などの水に接触する状況、あるいは小型血糖測定装置を使用しない状況では、インスリン送出装置から小型血糖測定装置を分離できるため、使用者の負担が軽減される。その反面、アダプタを用意する必要があるために、アダプタを紛失して小型血糖測定装置からインスリン送出装置にデータ送信できない危険にさらされる可能性が高くなる。また、アダプタの使用は、部品点数が増えるためにコスト上昇、あるいはインスリン送出装置に対する小型血糖測定装置の着脱操作を煩雑化させる原因となる。【０００９】
小型血糖測定装置やインスリン送出装置を用いて血糖値を制御する場合、これらの装置から測定データやインスリン送出に関する履歴に対応したデータを、外部の情報処理装置にアウトプットすることが行われている。このような情報処理装置への通信にも、赤外線等の汎用の近距離無線通信手段が多く採用されている。【００１０】
しかしながら、近距離無線通信手段を採用する場合、インスリン送出装置と小型血糖測定装置との通信ポートを互いに対向させる必要がある。そのため、インスリン装置に小型血糖測定装置を合体する構成では、インスリン送出装置から外部の情報処理装置にデータを送信する際に、インスリン送出装置における通信ポートの位置によっては、小型血糖測定装置が障害となり、データを送信することが出来ないことがある。特に、インスリン送出装置において、小型血糖測定装置との通信ポートを、外部の情報処理装置のデータ送信に使用する場合には、小型血糖測定装置が通信の障害となる。このような不具合を解消するためには、インスリン送出装置から小型血糖測定装置を分離すればよいが、その場合には小型血糖測定装置の分離操作が煩わしいばかりか、アダプタや血糖測定装置を紛失する可能性が高くなる。【００１１】
【特許文献１】特表平１１−５０７２５０号公報
【特許文献２】特表２００７−５０３２８８号公報
【発明の開示】
【発明が解決しようとする課題】
【００１２】
本発明は、簡易な操作で血糖測定装置からインスリン送出装置にデータ送信を行なえる血糖値制御システムを提供することを課題としている。【００１３】
本発明はさらに、血糖測定装置などの紛失を抑制できる血糖値制御システムを提供することにある。
【課題を解決するための手段】
【００１４】
本発明は、血糖値を測定するための血糖測定装置と、体内にインスリンを投与するためのインスリン送出装置と、を備えた血糖値制御システムに関する。【００１５】
前記血糖値制御システムは、前記インスリン送出装置と前記血糖測定装置とを互いに相対移動可能に結合し、かつ前記インスリン送出装置および前記血糖測定装置に設けられた取り付け機構をさらに備えている。【００１６】
好ましくは、前記取り付け機構は、前記インスリン送出装置と前記血糖測定装置とを互いに分離することなく、前記インスリン送出装置に対して前記血糖測定装置を回動又は摺動可能に結合するものである。【００１７】
前記血糖値測定システムは、無線データ通信手段をさらに備えていてもよい。前記無線データ通信手段は、たとえば前記血糖測定装置から前記インスリン送出装置へデータを送信するために前記血糖測定装置に設けられた第１無線データ通信部と、前記第１無線データ通信部からのデータを受信し、かつ外部の情報処理装置とのデータ通信を行なうために前記インスリン送出装置に設けられた第２無線データ通信部と、を含んでいる。【００１８】
前記取り付け機構は、たとえば前記第２無線データ通信部と前記情報処理装置とのデータ通信を行なうときに、前記第２無線データ通信部によるデータ通信を妨害しない位置へ前記血糖測定装置を移動可能に構成されている。【００１９】
前記血糖値制御システムは、体内に植え込んで使用する第２の血糖測定装置をさらに有していてもよい。この場合、前記血糖測定装置および前記インスリン送出装置のうちの少なくとも一方は、前記第２の血糖測定装置とのデータ通信を行なえるように構成される。【００２０】
前記第２無線データ通信部は、たとえば前記第２の血糖測定装置とのデータ通信が可能とされる。前記インスリン送出装置は、通信対象として、前記血糖測定装置または前記第２の血糖測定装置を選択するための選択手段をさらに備えているのが好ましい。前記選択手段は、たとえば前記通信対象として、前記情報処理装置を選択できるように構成される。【００２１】
前記選択手段は、たとえば前記インスリン送出装置に設けられたスイッチである。前記選択手段は、前記インスリン送出装置に対する前記血糖測定装置の相対位置に応じて、前記通信対象を選択するものであってもよい。この場合の選択手段は、たとえば複数のスイッチを含んでおり、前記複数のスイッチのオン状態またはオフ状態の組み合わせにより、前記通信対象を選択するように構成される。【００２２】
前記血糖測定装置および前記インスリン送出装置は、防水性または耐水性を有するハウジングを備えているのが好ましい。【００２３】
前記血糖測定装置は、たとえば試験片を挿入するための挿入口と、前記挿入口を閉鎖するための閉鎖手段を備えているのが好ましい。
【発明の効果】
【００２４】
本発明によれば、取り付け機構が血糖測定装置およびインスリン送出装置に設けられているため、別部品のアダプタを用いない血糖測定装置とインスリン送出装置を含む血糖値制御システムを提供することが出来る。そのため、部品点数の増加によるコストアップを回避できる。また、別部品のアダプタや血糖測定装置を紛失する可能性を低減することができる。【００２５】
本発明ではさらに、血糖測定装置とインスリン送出装置とを互いに分離することなく相対動可能とすれば、血糖測定装置の紛失を抑制できるとともに、インスリン送出装置に対する血糖測定装置の着脱が必ずしも必要なものではなくなるので、使用者の負担が軽減される。
【図面の簡単な説明】
【００２６】
【図１】図１Ａおよび図１Ｂは、本発明の第１の実施の形態に係る血糖値制御システムを示す斜視図である。
【図２】図１に示した血糖値制御システムを情報処理装置とともに示すブロック図である。
【図３】図３Ａは図１に示した血糖測定装置に試験片が挿入された状態を示す斜視図である。図３Ｂはキャップが挿入された状態を示す斜視図である。
【図４】図１に示した血糖値制御システムにおいて、インスリン送液装置から血糖測定装置を分離した状態を示す斜視図である。
【図５】図５Ａおよび図５Ｂは、図１に示した血糖値制御システムにおける取り付け機構の他の例を示す斜視図である。
【図６】図６Ａないし図６Ｃは、図５に示した取り付け機構の動作を説明する斜視図である。
【図７】図６ＡのＡ−Ａにおける断面図である。
【図８】図６ＡのＢ−Ｂにおける断面図である。
【図９】図５に示した血糖値制御システムにおいて、インスリン送液装置から血糖測定装置を分離した状態を示す斜視図である。
【図１０】図１０Ａおよび図１０Ｂは、図１に示した血糖値制御システムにおける取り付け機構の他の例を示す斜視図である。
【図１１】図１０に示した取り付け機構の動作を説明する斜視図である。
【図１２】図１０に示した血糖値制御システムにおいて、インスリン送液装置から血糖測定装置を分離した状態を示す斜視図である。
【図１３】図１３Ａおよび図１３Ｂは、本発明の第２の実施の形態に係る血糖値制御システムを示す斜視図である。
【図１４】図１３に示す血糖値制御システムを構成する体内植え込み型連続血糖測定装置を説明する断面図である。
【図１５】図１３に示した血糖値制御システムを情報処理装置とともに示すブロック図である。
【図１６】図１６Ａないし図１６Ｃは、本発明の第３の実施の形態に係る血糖値制御システムを示す斜視図である。
【図１７】図１６に示した血糖値制御システムを情報処理装置とともに示すブロック図である。
【符号の説明】
【００２７】
１Ａ，１Ｂ，１Ｃ：血糖値制御システム
２：インスリン送出装置
３：血糖測定装置
４，４′，４″：取り付け機構
５Ａ：試験片
５Ｂ：キャップ
６：情報処理装置
７：連続血糖測定装置（第２の血糖測定装置）
２２：（インスリン送出装置の）通信部
２８：スイッチ
２８Ａ：第１スイッチ
２８Ｂ：第２スイッチ
３０：（血糖測定装置の）通信部（送信部）
２１：（インスリン送出装置の）ハウジング
３１：（血糖測定装置の）ハウジング
３２：試験片挿入口
【発明を実施するための最良の形態】
【００２８】
以下、本発明に係る実施に形態について、図面を参照して説明する。【００２９】
まず、本発明の血糖値制御システムの第１の実施の形態を図１ないし図４を参照しつつ説明する。【００３０】
図１Ａおよび図１Ｂ示したように、血糖値制御システム１Ａは、インスリン送出装置２および血糖測定装置３を含んでおり、インスリン送出装置２と血糖測定装置３との間でデータ通信が可能とされている。この血糖値制御システム１Ａでは、血糖測定装置３からの測定データに基づいて、体内へのインスリン投与の必要性を判断するとともに、必要に応じて測定データに基づいて演算した量のインスリンを投与する。【００３１】
インスリン送出装置２は、体内にインスリンを投与するためのものであり、たとえば腹部や肩の皮膚に固定されるものである。インスリン送出装置２は、着衣に固定し、またはその他の方法で携帯されるものであってもよい。このインスリン送出装置２は、インスリン送出部２０、ハウジング２１および通信部２２を備えている。【００３２】
インスリン送出部２０は、装置内部に保持されたインスリンを装置外に排出する部分であり、たとえば針付チューブ（図示せず）が接続される部分である。針付チューブは、通常、肝臓に繋がる門動脈や肝臓に近接した腹膜スペースに針部分が挿入される。これにより、インスリン送出部２０からのインスリンは、チューブを介して門動脈系に送出されるとともに、門動脈系において吸収されて肝臓に運ばれる。【００３３】
ハウジング２１は、インスリン送出装置２の外形をなすものであり、各部の動作を制御するための演算を可能な回路基板を収容している。このハウジング２１は、防水性又は耐水性を有するものであるのが好ましい。ハウジング２１は、たとえばポリプロピレン（ＰＰ）樹脂など透水性の極めて低い材料を用いて肉厚を１ｍｍ以上にとることによって防水性又は耐水性を有するものとされる。【００３４】
通信部２２は、送信部２２Ａおよび受信部２２Ｂを含んでいる。送信部２２Ａは情報処理装置６（図２参照）にデータを送信するためのものであり、受信部２２Ｂは血糖測定装置３および情報処理装置６（図２参照）からのデータを受信するためのものである。通信部２２としては、たとえば光発振素子と受光素子とを１つのパッケージに一体化したものを使用することができる。通信部２２におけるデータの送受信は、たとえば赤外光を使用して行なうことができるが、ブルートゥースにおいて採用されている２．４５ＧＨｚ帯等の他の周波数（波長）の光を使用してもよい。【００３５】
図２に示したように、インスリン送出装置２は、制御部２３、記憶部２４、インスリンタンク２５、ポンプ２６およびディスプレイ２７をさらに有している。【００３６】
制御部２３は、各部の動作（たとえばポンプ２６のオン状態またはオフ状態、送信部２２Ａからのデータ送信、あるいは受信部２２Ｂにおいて受信した受信データを記憶部２４に記憶させる動作）を制御するものである。【００３７】
記憶部２４は、ポンプ２６の駆動に必要なデータを記憶したものである。この記憶部２４に記憶されるデータにはさらに、たとえば血糖測定装置３から送信されてきた測定データ、および血糖値に対応させたインスリンの送出履歴に関するデータが含まれる。すなわち、インスリン送出装置２から情報処理装置６に対しては、記憶部２４に記憶された血糖値データやインスリンの送出履歴に関するデータが送信される。【００３８】
インスリンタンク２５は、インスリンを保持したものであり、チューブ（図示略）を介してインスリン送出部２０に接続されている。【００３９】
ポンプ２６は、インスリンタンク２５のインスリンを搬送するための駆動力を付与するためのものである。ポンプ２６としては、公知の種々のもの、たとえば、シリンジポンプを使用することができる。【００４０】
ディスプレイ２７は、各種の情報（たとえばインスリンの送出状態、インスリン残量、あるいは血糖測定装置３から送信されてきた測定データ）を表示するものである。【００４１】
図１Ａおよび図１Ｂに示したように、血糖測定装置３は、血液中のグルコース濃度を測定するためのものであり、取り付け機構４を介してインスリン送出装置２に対して回動可能に結合されている。この血糖測定装置３は、通信部（送信部）３０およびハウジング３１を備えている。【００４２】
通信部３０は、インスリン送出装置２に対して測定データを送信するための送信部として機能するものであり、ハウジング３１の内部に組み込まれている。通信部３０は、データを受信するための機能を有するものであってもよい。この通信部３０は、赤外光を利用してデータ送信を行なうことができる。もちろん、通信部３０からのデータの送信には、ブルートゥースにおいて採用されている２．４５ＧＨｚ帯等の他の周波数（波長）の光を使用してもよい。【００４３】
ここで、通信部３０から送信される「測定データ」とは、血糖測定装置３において測定される電流値などの生データ、生データを電圧値などの他の物理量に換算にしたもの、血糖値の演算結果に関するデータ、および生データや血糖値演算データを補正したデータが含まれる。通信部３０は、測定データに加えて、生データや血糖値データを補正するためのデータ、たとえば試験片の製造ロットナンバー、測定温度、別途測定されたヘマトクリット値の他、血糖値の決定に必要とされる補正情報を送信するようにしてもよい。【００４４】
ハウジング３１は、血糖測定装置３の外形をなすものである。ハウジング３１は、各部の動作を制御するための演算を可能な回路基板を収容しているとともに、試験片挿入口３２を有している。【００４５】
ハウジング３１は、防水性又は耐水性を有するものであることが好ましい。このようなハウジング２１は、インスリン送出装置２のハウジング２１と同様に、たとえばポリプロピレン（ＰＰ）樹脂など透水性の極めて低い材料を用いて肉厚を１ｍｍ以上にとることによって形成することができる。【００４６】
図３Ａに示したように、試験片挿入口３２は、試験片５Ａを挿入する部分である。試験片５Ａは、血糖値を測定するためのものであり、酸化還元酵素を収容したキャピラリ５０を有したグルコースセンサである。キャピラリ５０は、血液を吸引・保持する部分である。この試験片５Ａでは、酸化還元酵素の触媒作用によりグルコースが酸化あるいは還元されるときの電子授受量を、応答電流あるいは試薬の呈色として指示することができる。【００４７】
図３Ｂに示したように、試験片挿入口３２は、血糖測定装置３を使用しない時は、キャップ５Ｂを挿入するようにしても良い。キャップ５Ｂは、防水性を有する材料により、試験片挿入口３２を塞ぐことが出来るように成形されている。そのため、血糖測定装置３を使用しない時は、キャップ５Ｂを使用することにより血糖測定装置３への浸水を防止することができる。したがって、入浴時などのように水に接触する環境化においても、インスリン送出装置２から血糖測定装置３を取り外すことなく、血糖測定装置３への浸水を防止できるために利便性が向上する。【００４８】
キャップ５Ｂに代えて、試験片挿入口３２を塞ぐ構成を採用することができる。例えば、試験片５Ａが挿入されていないときに試験片挿入口３２が塞がれた状態とし、試験片５Ａを挿入する際や挿入されているときに内側へ押し込まれ蓋を備えた構造を採用することができる。これにより、キャップ５Ｂを用いずとも血糖測定装置３への浸水を抑制することができる。【００４９】
図２に示したように、血糖測定装置３は、制御部３３、記憶部３４、および演算部３５をさらに有している。【００５０】
制御部３３は、各部の動作（たとえば通信部（送信部）３０からのデータ送信、あるいは演算部３５における血糖値の演算動作）を制御するものである。【００５１】
記憶部３４は、血糖値の測定に必要なデータ（たとえば電流値などの測定データ、検量線に関するデータおよび補正データ）を記憶したものである。この記憶部３４は、血糖値の測定結果を記憶することができる。【００５２】
演算部３５は、試験片５Ａから得られるデータに基づいて血糖値を演算するものである。血糖値の演算は、生データ（あるいは生データを換算した換算データ）、補正データおよび検量線データに基づいて行なわれる。ただし、測定されたデータからの血糖値の演算は、インスリン送出装置２において行なうようにしてもよい。【００５３】
図１Ａ、図１Ｂおよび図４に示したように、取り付け機構４は、インスリン送出装置２に設けられた取り付け部４０、血糖測定装置３に設けられた取り付け部４１、およびピン４２を含んでいる。取り付け部４０，４１は、貫通孔４３，４４を有している。これらの貫通孔４３，４４は、ピン４２が挿通される部分である。ピン４２は、先端部に設けられたネジ部４５およびヘッド部４６を有している。すなわち、取り付け機構４は、取り付け部４０，４１を位置合わせした状態で、貫通孔４３，４４にピン４２を挿通し、ヘッド部４６を操作してネジ部４５を螺合することにより、インスリン送出装置２に対して血糖測定装置３を結合している。【００５４】
血液制御システム１Ａでは、取り付け機構４によって、血糖測定装置３をインスリン送出装置２から分離することなく、血糖測定装置３を回動させることができる。その結果、図１Ａに示した血糖測定装置３の通信部３０がインスリン送出装置２の受信部２２Ｂに対向する状態と、図１Ｂに示したインスリン送出装置２の通信部２２が血糖測定装置３に邪魔されることなく通信できる状態とを選択することができる。【００５５】
図１Ａに示した状態では、血糖測定装置３の通信部３０がインスリン送出装置２の受信部２２Ｂに対向するようになっており、血糖測定装置３の通信部３０からインスリン送出装置２の受信部２２Ｂに測定データを送信することができる。【００５６】
一方、図１Ｂに示した状態では、インスリン送出装置２の通信部２２が露出するため、血糖測定装置３に邪魔されることなく、インスリン送出装置２が情報処理装置６（図２参照）とデータ通信を行うことができる。すなわち、インスリン送出装置２の送信部２２Ａから情報処理装置６の受信部６０Ｂに血糖値の演算データ、あるいはインスリンの送出履歴などを送信することができる。これにより、情報処理装置６において、血糖値の管理を行なうことができるとともに、インスリンの投与量の変更などについて検討することができる。また、情報処理装置６の送信部６０Ａからは、インスリン送出装置２の受信部２２Ｂにデータ送信を行なうべき信号、あるいはインスリン投与量の変更に関するデータを送信することができる。【００５７】
図４に示したように、取り付け機構４では、ヘッド部４６を回転させてネジ部４５の螺合を解除することにより、血糖測定装置３をインスリン送出装置２から取り外すことも出来る。このように、インスリン送出装置２から血糖測定装置３を簡易に取り外すことができるようにすれば、血糖測定装置３のメンテナンスを簡易に行なうことができ、また入浴時に試験片挿入口３２からの浸水を防止する上で便利である。【００５８】
ここで、情報処理装置６は、典型的にはパーソナルコンピュータであるが、患者が腕にはめる腕時計型の表示装置およびパーソナルコンピュータにＵＳＢ等で接続するデータ管理用機器等を含んでいる。【００５９】
取り付け機構４は、図１Ａおよび図１Ｂに示した構成に代えて、図５ないし図９において符号４′で示した構成、あるいは図１０ないし図１２において符号４″で示した構成を採用することができる。ただし、図５ないし図１２においては、図１ないし図４を参照して先に説明した血糖値制御システム１Ａおよび情報処理装置６と同様な要素については同一の符号を付してあり、以下における重複説明は省略する。【００６０】
図５ないし図９に示した取り付け機構４′は、インスリン送出装置２に対して血糖測定装置３を分離させることなく、インスリン送出装置２と血糖測定装置３とを摺動可能に結合するものである。この取り付け機構４′を採用した血糖値制御システム１Ａでは、インスリン送出装置２に対して血糖測定装置３を摺動させることにより、図５Ａに示したように血糖測定装置３の通信部３０がインスリン送出装置２の受信部２２Ｂに対向する状態と、図５Ｂに示したインスリン送出装置２の通信部２２が血糖測定装置３に邪魔されることなく通信できる状態とを選択することができる。すなわち、取り付け機構４′を採用した血糖値制御システム１Ａにおいても、血糖測定装置３からインスリン送出装置２に測定データなどが送信される状態と、インスリ送出装置２と情報処理装置６との間でデータ通信を行なう状態とを選択することができる。【００６１】
図６Ａないし図６Ｃに示したように、取り付け機構４′は、血糖測定装置３に設けられたレール４０′およびインスリン送出装置２に設けられた係合部４１′を有している。【００６２】
レール４０′は、平滑部４２′、凹部４３Ａ′，４３Ｂ′および凸部４４Ａ′，４４Ｂ′，４４Ｃ′を有している。凹部４３Ａ′，４３Ｂ′は、隣接する凸部４４Ａ′，４４Ｂ′，４４Ｃ′間に設けられている。凸部４４Ａ′，４４Ｂ′，４４Ｃ′は、バネ性を持つように加工されている。凸部４４Ａ′，４４Ｂ′，４４Ｃ′のバネ性は、凸部４４Ａ′，４４Ｂ′，４４Ｃ′の幅、厚みあるいは構成材料を変えるなどにより調整することができる。【００６３】
図７に示したように係合部４１′は、血糖測定装置３の底部に設けられた開口部４６′に入り込み、レール４０′と係合するものであり、上部フランジ片４１Ａ′を有している。【００６４】
図８に示したように上部フランジ片４１Ａ′は、インスリン送出装置２に対して血糖測定装置３を移動させるときに、レール４０′における凹部４３Ａ′，４３Ｂ′および凸部４４Ａ′，４４Ｂ′，４４Ｃ′に沿って移動するものである。【００６５】
取り付け機構４′を採用した血糖値制御システム１Ａでは、図６Ａに示した状態では、係合部４１′がレール４０′の平滑部４２′に位置し、インスリン送出装置２の通信部２２（送信部２２Ａおよび受信部２２Ｂ）は露出していない。【００６６】
図６Ａに示した状態からインスリン送出装置２に対して血糖測定装置３を移動させれば、図６Ｂに示したように係合部４１′は凸部４４Ａ′を越えて、凹部４３Ａ′に位置する。この際、使用者はクリック感により所定位置（凹部４３Ａ′）に係合部４１′が位置していることを認識することができる。また、図６Ｂに示した状態では、インスリン送出装置２の通信部２２は送信部２２Ａのみが露出する。そのため、血糖値制御システム１Ａでは、情報処理装置６に対して、インスリン送出装置２から血糖値やインスリン投与履歴などの情報を送信することができる。【００６７】
図６Ｂに示した状態からインスリン送出装置２に対して血糖測定装置３を移動させれば、図６Ｃに示したように係合部４１′が凸部４４Ｂ′を越えて、凹部４３Ｂ′に位置する。このとき、係合部４１′が凸部４４Ｂ′を乗り越えてから凹部４３Ｂ′に位置するため、使用者はクリック感により所定位置（凹部４３Ｂ′）に係合部４１′が位置していることを認識することができる。図６Ｃに示した状態では、インスリン送出装置２の通信部２２（受信部２２Ｂおよび送信部２２Ａ）が露出する。そのため、血糖値制御システム１Ａでは、インスリン送出装置２の送信部２２Ａから情報処理装置６の受信部６０Ｂにデータの送信を要求する信号を送信でき、情報処理装置６の送信部６０Ａからインスリン送出装置２の受信部２２Ｂに対してインスリン投与量の変更などのデータを送信することがきる。【００６８】
図６Ａないし図６Ｃに示したように、取り付け機構４′はさらに、レール４０′に切欠４５′が設けられている。この切欠４５′は、インスリン送出装置２に対して血糖測定装置３を凸部４４Ｃ′を超える位置まで移動させたときに、レール４０′と係合部４１′と係合を解除するものである。そのため、取り付け機構４′では、切欠４５′を介して係合部４１′をレール４０′から取り外すことにより、図９に示したようにインスリン送出装置２から血糖測定装置３を分離させることができる。これにより、血糖測定装置３のメンテナンス時にインスリン送出装置２から血糖測定装置３を分離することができるためにメンテナンスの負担が軽減される。また、入浴時にインスリン送出装置２から血糖測定装置３を分離すれば、血糖測定装置３の試験片挿入口３２からの浸水を防止することができる。さらに、インスリン送出装置２から血糖測定装置３を分離した状態では、図５Ｃの状態と同様に、インスリン送出装置２の通信部２２（受信部２２Ｂおよび送信部２２Ａ）が露出しているため、インスリン送出装置２と情報処理装置６との間のデータ通信を行うことができる。【００６９】
図１０ないし図１２に示した取り付け機構４″は、インスリン送出装置２に対して血糖測定装置３を分離させることなく、インスリン送出装置２と血糖測定装置３とを回転可能に結合するものである。【００７０】
図１１および図１２に示したように、取り付け機構４″は、血糖測定装置３に設けられた継ぎ手４０″と、インスリン送出装置２に設けられた軸受け部４１″と、を有している。【００７１】
継ぎ手４０″は、半球部４２″および軸部４３″を有するものである。半球部４２″は、軸受け部４１″と係合する部分である。軸部４３″は、血糖測定装置３に連結される部分である。軸部４３″には、周方向に複数の突起４４″が設けられている。突起４４″は軸部４３″を血糖測定装置３に嵌合するためのものである。この突起４４″は、弾性を有している。突起４４″の弾性を硬くすることで、必要な時以外は軸受け部４１″に対して軸部４３″（突起４４″）を外れにくくすることが可能である。【００７２】
軸受け部４１″は、継ぎ手４０″を揺動可能に支持している。この軸受け部４１″はさらに、インスリン送出装置２のハウジング２１に対して回転可能とされている。そのため継ぎ手４０″および血糖測定装置３は、インスリン送出装置２に対して回転可能および揺動可能とされている。これにより、使用者は血糖測定装置３の試験片挿入口３２を、ある程度任意の方向に向けることができるので、測定時の血液の吸入操作が容易となる。【００７３】
取り付け機構４″を採用した血糖値制御システム１Ａでは、インスリン送出装置２に対して血糖測定装置３を回転させることにより、図１０Ａに示したように血糖測定装置３の通信部３０がインスリン送出装置２の受信部２２Ｂに対向する状態と、図１０Ｂに示したインスリン送出装置２の通信部２２が血糖測定装置３に邪魔されることなく通信できる状態とを選択することができる。すなわち、取り付け機構４″を採用した血糖値制御システム１Ａにおいても、血糖測定装置３からインスリン送出装置２に測定データなどが送信される状態と、インスリン送出装置２と情報処理装置６との間でデータ通信を行なう状態とを選択することができる。【００７４】
図１２に示すように、血糖値制御システム１Ａにおいては、血糖測定装置３をインスリン送出装置２の継ぎ手４０″から取り外せるように構成してもよい。この構成は、たとえば軸部４３″における複数の突起４４″の硬さや弾性を調整することにより達成することができる。血糖測定装置３をインスリン送出装置２から脱着可能とすることにより、血糖測定装置３のメンテナンスを容易とし、入浴時に試験片挿入口３２らの浸水を防止することができる。【００７５】
次に、本発明の第２の実施の形態について、図１３ないし図１５を参照しつつ説明する。ただし、これらの図においては、図１ないし図１２を参照して先に説明した血糖値制御システム１Ａと同様な要素について同一の符号を付してあり、以下における重複説明は省略する。【００７６】
図１３Ａおよび図１３Ｂに示したように、血糖値制御システム１Ｂは、インスリン送出装置２、血糖測定装置３および体内植え込み型連続血糖測定装置７を含んでいる。インスリン送出装置２は、連続血糖測定装置７との無線データ通信を行なえるように構成されている。【００７７】
図１３Ａおよび図１３Ｂに示した血糖値制御システム１Ｂは、インスリン送出装置２と血糖測定装置３は、図４を参照して先に説明した取り付け機構４により結合されている。図１３Ａに示した状態では、血糖測定装置３とインスリン送出装置２が互いに折り畳まれており、血糖測定装置３からインスリン送出装置２に測定データなどが送信可能とされている。図１３Ｂに示した状態では、血糖測定装置３とインスリン送出装置２は開いており、インスリ送出装置２と連続血糖測定装置７との間でデータ通信可能な状態とされている。【００７８】
もちろん、インスリン送出装置２と血糖測定装置３との結合は、取り付け機構４に代えて図７および図８を参照して説明した取り付け機構４′や図１１を参照して説明した取り付け機構４″により行なってもよい。【００７９】
連続血糖測定装置７は、第２の血糖測定装置に相当するものであり、糖尿病患者の腹部、肩、および腕などの皮膚に固定して使用されるものである。図１４に示したように、連続血糖測定装置７は、ハウジング７１、基板７２、接着層７３およびセンサ７８を備えている。【００８０】
ハウジング７１は下部開口を有するキャップ状に形成されている。このハウジング７１は、防水性又は耐水性を有するものであることが好ましい。このようなハウジング７１は、たとえば、金属やポリプロピレン（ＰＰ）樹脂など透水性の極めて低い材料で形成される。【００８１】
基板７２は、ハウジング７１の下部開口を塞ぐためのものである。この基板７２は、配線がパターン形成されているとともに各種の電子部品が実装されたものであり、後述する演算部７５、記憶部７６および制御部７７を構築している。【００８２】
接着層７３は、連続血糖測定装置７を皮膚に固定するためものであり、基板７２に固定されている。この接着層７３は、たとえば両面テープなどの粘着性を有する材料により形成されている。【００８３】
センサ７８は、血糖値に関連するデータを連続的に採取するためのものである。このセンサ７８は、基板７２および接着層７３を貫通しており、一端部が皮膚の内部に植え込まれている。その一方で、センサ７８は、他端部がハウジング７１の内部に突出しており、他端部において基板７２と電気的に接続されている。センサ７８としては、たとえば酵素反応に起因する電荷移動量を検出するものが使用される。センサ７８は、図示しないが、基板上に作用極および対極を含む電極を有している。電極は、参照極をさらに含んでいてもよい。電極上には、酸化還元酵素であるグルコースデヒドロゲナーゼ等の酵素が固定されている。酵素は、皮膚の内部の間質液等の体液中のグルコースと反応する。センサ７８では、作用極と対極間に一定の電圧を印加されると、グルコースの反応量に対応した応答電流が流れる。【００８４】
連続血糖測定装置７はさらに、通信部７４、演算部７５、記憶部７６、および制御部７７を有している。【００８５】
通信部７４は、送信部７４Ａおよび受信部７４Ｂを備えており、インスリン送出装置２からの命令を受信して、インスリン送出装置２へデータを送信する機能を有するものである。この通信部７４は、赤外光を利用してデータの送受信を行なうことができる。もちろん、通信部７４を介してのデータの送受には、ブルートゥースにおいて採用されている２．４５ＧＨｚ帯等の他の周波数（波長）の光を使用してもよい。【００８６】
ここで、送信部７４Ａを介して連続血糖測定装置７からインスリン送出装置２に送信されるデータには、センサ７８を介して得られる応答電流値などの生データ、生データを電圧値などの他の物理量に換算にしたもの、血糖値の演算結果に関するデータ、および生データや血糖値演算データを補正したデータが含まれる。データは、インスリン送出装置２ではなく、血糖測定装置３に送信されるようにしてもよい。この場合は、連続血糖測定装置７からデータは、血糖測定装置３からさらにインスリン送出装置２に送信される。【００８７】
演算部７５は、センサ７８から得られるデータに基づいて血糖値を演算するものである。血糖値の演算は、生データ（あるいは生データを換算した換算データ）に対して、検量線データおよび補正データを適用して行なわれる。ただし、測定されたデータからの血糖値の演算は、測定データの送信先のインスリン送出装置２（血糖測定装置３）において行なうようにしてもよい。【００８８】
記憶部７６は、血糖値の測定に必要なデータ、たとえば電流値などの測定データ、検量線に関するデータおよび補正データを記憶するものである。また、この記憶部７６は、連続血糖測定装置７において演算された血糖値を記憶することもできる。【００８９】
制御部７７は、各部の動作を制御（たとえば植え込み型センサ７８によるデータ採取、送信部７４Ａからのデータ送信、受信部７４Ｂにおけるデータ受信、あるいは演算部７５における血糖値の演算動作）を制御するものである。【００９０】
図１５に示すように、インスリン送出装置２は、血糖測定装置３から測定データ等を受信することができ、連続血糖測定装置７および外部の情報処理装置６との測定データ等の送受信を行うことができる。【００９１】
図１３Ａ、図１３Ｂおよび図１５に示したように、インスリン送出装置２は、スイッチ２８を有している。このスイッチ２８は、インスリン送出装置２とデータ通信を行なう対象を選択するためのものであり、インスリン送出装置２のハウジング２１上に設けられている。より具体的には、スイッチ２８は、血糖測定装置３、連続血糖測定装置７および外部の情報処理装置６のいずれかの装置と、インスリン送出装置２がデータ通信可能な状態を選択することができる。スイッチ２８はさらに、血糖測定装置３、連続血糖測定装置７および外部の情報処理装置６のいずれかの装置ともデータ通信を行なえないように状態を選択できるものであってもよい。また、インスリン送出装置２との通信対象との通信は、複数の装置に対して同一の周波数帯を採用してもよいが、通信対象に応じて異なる周波数帯を使用するようにしてもよい。【００９２】
血糖値制御システム１Ｂでは、連続血糖測定装置７において連続的に血糖値が測定される。より具体的には、連続血糖測定装置７において、センサ７８の対極と作用極との間に一定電圧を連続的に印加する。これにより、センサ７８からはグルコース濃度に応じた応答電流が出力される。この出力は、演算部７５において血糖値に換算される。【００９３】
演算された血糖値データは、連続血糖測定装置７の送信部７４Ａおよびインスリン送出装置２の受信部２２Ｂを介して、インスリン送出装置２に送信される。血糖値データは、インスリン送出装置２の記憶部２４において記憶される。インスリン送出装置２では、体内へのインスリン投与の必要性を判断するとともに、必要に応じて測定データに基づいて演算した量のインスリンを、ポンプ２６を制御して投与する。これにより、インスリン送出装置２では、より生理的に近い条件で、血糖値の経時的な変動に基づいて、インスリンを体内に注入することができるため、効果的に血糖値を所望の範囲に維持することができる。【００９４】
血糖値制御システム１Ｂではさらに、必要に応じて、血糖測定装置３において血糖値が測定される。血糖測定装置３において測定された血糖値は、記憶部３４において記憶され、演算部３５によって連続血糖測定装置７において測定された血糖値と比較される。血糖測定装置３および連続血糖測定装置７において測定された血糖値の乖離が大きい場合には連続血糖測定装置７の較正が行なわれる。【００９５】
より具体的には、連続血糖測定装置７において測定された血糖値に関する測定データ（または血糖値を反映したデータ）は、連続血糖測定装置７から、直接あるいはインスリン送出装置２を介して、血糖測定装置３に送信される。この測定データは、連続血糖測定装置７から血糖測定装置３に連続的に送信してもよいし、血糖測定装置３において血糖値が測定されたときと同じタイミングで測定されたものを送信してもよい。【００９６】
血糖測定装置３においては、演算部３５によって血糖測定装置３および連続血糖測定装置７において測定された血糖値を比較する。比較の結果、それらの値の差が一定値以上である場合に、演算部３５において双方の血糖値の差に応じた補正データを作成する。この補正データは、連続血糖測定装置７に送信され、連続血糖測定装置７において血糖値を演算するときに参照される。【００９７】
もちろん、血糖測定装置３および連続血糖測定装置７において測定された血糖値に応じた補正データの作成は、インスリン送出装置２や連続血糖測定装置７において行なってもよい。また、血糖値の補正は、インスリン送出装置２や血糖測定装置３において行なってもよい。【００９８】
このようにして補正データを作成し、連続血糖測定装置７において得られる血糖値を補正するようにすれば、センサ７８に固定化された酵素が経時的に劣化したとしても、正確な血糖値測定を行なうことができる。【００９９】
次に、本発明の第３の実施の形態について、図１６および図１７を参照しつつ説明する。ただし、これらの図においては、図１ないし図１２を参照して先に説明した血糖値制御システム１Ａと同様な要素について同一の符号を付してあり、以下における重複説明は省略する。【０１００】
図１６Ａないし図１６Ｃに示した血糖値制御システム１Ｃは、先に説明した血糖値制御システム１Ｂ（図１３ないし図１５を参照）と同様に、インスリン送出装置２、血糖測定装置３、および連続血糖測定装置７を含んでいる。ただし、血糖値制御システム１Ｃでは、インスリン送出装置２と血糖測定装置３とが、先に説明した取り付け機構４′（図６を参照）によって互いに摺動可能な状態で結合されている。上述のように、取り付け機構４′は、インスリン送出装置２に設けられた係合部４１′および血糖測定装置３に設けられたレール４０′を含んでいる。【０１０１】
血糖値制御システム１Ｃはさらに、インスリン送出装置２において、先に説明した血糖値制御システム１Ｂ（図１３ないし図１５を参照）に対して相違点を有している。【０１０２】
まず、血糖値制御システム１Ｃは、インスリン送出装置２に送信部２２Ａおよび受信部２２Ｂが血糖測定装置３の移動方向に直交する方向に並んで配置されている点において、血糖値制御システム１Ｂ（図１３ないし図１５を参照）とは異なっている。【０１０３】
さらに、血糖値制御システム１Ｃは、インスリン送出装置２に第１スイッチ２８Ａおよび第２スイッチ２８Ｂが設けられている点において、血糖値制御システム１Ｂ（図１３ないし図１５を参照）とは異なっている。これらのスイッチ２８Ａ，２８Ｂは、血糖測定装置３の移動に応じてオン・オフさせられるものである。すなわち、第１および第２スイッチ２８Ａ，２８Ｂの上方に血糖測定装置３が存在するときには第１および第２スイッチ２８Ａ，２８Ｂが押下された状態となり、スイッチ２８Ａ，２８Ｂはオン状態とされる。一方、第１および第２スイッチ２８Ａ，２８Ｂの上方に血糖測定装置３が存在しないときには第１および第２スイッチ２８Ａ，２８Ｂが押下されていない状態となり、第１および第２スイッチ２８Ａ，２８Ｂはオフ状態とされる。【０１０４】
第１および第２スイッチ２８Ａ，２８Ｂは、インスリン送出装置２に対する血糖測定装置３の移動方向に並んで配置されている。第１および第２スイッチ２８Ａ，２８Ｂ間の中心間距離は、レール４０′における凹部４３Ａ′，４３Ｂ′の中心間距離に対応している。そのため、第１および第２スイッチ２８Ａ，２８Ｂは、血糖測定装置３の位置（レール４０′に対する係合部４１′の位置）に応じて、第１および第２スイッチ２８Ａ，２８Ｂの双方がオン状態、第１スイッチ２８Ａがオフ状態で第２スイッチ２８Ｂがオン状態、第１および第２スイッチ２８Ａ，２８Ｂの双方がオフ状態の図１６Ａないし図１６Ｃに示した３つの態様を取り得る。【０１０５】
図１６Ａに示した状態では、取り付け機構４′において、係合部４１′がレール４０′の平滑部４２′に位置している。この状態では、第１および第２スイッチ２８Ａ，２８Ｂの双方が血糖測定装置３に押圧されてオン状態となっている。一方、インスリン送出装置２の通信部２２（送信部２２Ａおよび受信部２２Ｂ）は露出しておらず、インスリン送出装置２の受信部２２Ｂが血糖測定装置３の通信部３０と対向している。【０１０６】
図１６Ｂに示した状態では、取り付け機構４′において、係合部４１′が第１凹部４３Ａ′に位置している。この状態では、第１スイッチ２８Ａおよび第２スイッチ２８Ｂのうち、第２スイッチ２８Ｂ上にのみ血糖測定装置３が存在する。そのため、第１スイッチ２８Ａはオフ状態とされ、第２スイッチ２８Ｂはオン状態とされている。一方、インスリン送出装置２の通信部２２（送信部２２Ａおよび受信部２２Ｂ）が露出している。【０１０７】
図１６Ｃに示した状態では、取り付け機構４′において、係合部４１′が第２凹部４３Ｂ′に位置している。この状態では、第１スイッチ２８Ａ、第２スイッチ２８Ｂは、ともにオフ状態となる。一方、インスリン送出装置２の通信部２２（送信部２２Ａおよび受信部２２Ｂ）が露出している。【０１０８】
以上に説明したように、インスリン送出装置２における第１スイッチ２８Ａおよび第２スイッチ２８Ｂのオン状態およびオフ状態の組み合わせは、血糖測定装置３の位置に応じて３種類ある。そのため、第１および第２スイッチ２８Ａ，２８Ｂのオン・オフ状態の組み合わせに応じて、インスリン送出装置２との通信対象として３種類のものから特定の通信対象を選択してデータ通信を行なうようにすることができる。【０１０９】
たとえば、第１および第２スイッチ２８Ａ，２８Ｂの双方がオン状態（図１６Ａ参照）のときは、インスリン送出装置２の通信部２２（送信部２２Ａおよび受信部２２Ｂ）が露出せず、インスリン送出装置２の受信部２２Ｂが血糖測定装置３の通信部３０と対向している。したがって、インスリン送出装置２は、第１および第２スイッチ２８Ａ，２８Ｂの双方がオン状態のときに、通信対象として血糖測定装置３を選択し、血糖測定装置３とのデータ通信を行なうように構成することができる。【０１１０】
一方、図１６Ｂおよび図１６Ｃの状態のときには、インスリン送出装置２の通信部２２（送信部２２Ａおよび受信部２２Ｂ）が露出しているため、インスリン送出装置２は上方処理装置６または連続血糖測定装置７とデータ通信を行なうことが可能となっている。したがって、たとえば第１スイッチ２８Ａがオフ状態、第２スイッチ２８Ｂがオン状態のときに、インスリン送出装置２との通信対象として連続血糖測定装置７（または外部の情報処理装置６）を選択し、第１および第２スイッチ２８Ａ，２８Ｂの双方がオフ状態のときにインスリン送出装置２の通信対象として外部の情報処理装置６（または連続血糖測定装置７）を選択するようにできる。【０１１１】
血糖値制御システム１Ｃでは、通常は、たとえば図１６Ｂに示した状態とされている。すなわち、インスリン送出装置２において、通信部２２が露出するとともに、第１スイッチ２８Ａがオフ状態で第２スイッチ２８Ｂがオン状態（または）とされている。このとき、インスリン送出装置２では、制御部２３によって第１および第２スイッチ２８Ａ，２８Ｂのオン・オフ状態の組み合わせが、第１スイッチ２８Ａがオフ状態で第２スイッチ２８Ｂがオン状態であると把握される。そのため、インスリン送出装置２は、制御部２３によって連続血糖測定装置７から送信されるデータを受信して、そのデータに応じた処理を行なう状態とされる。【０１１２】
一方、インスリン送出装置２が血糖測定装置３とデータ通信を行なうようにする場合には、図１６Ｂに示した状態から図１６Ａに示した状態となるように血糖測定装置３をインスリン送出装置２に対して移動させる。このような血糖測定装置３の移動は、使用者が手操作によって行なわれる。もちろん、図外のボタンを操作することにより血糖測定装置３が所定位置に移動するように構成してもよい。【０１１３】
図１６Ａに示した状態では、第１および第２スイッチ２８Ａ，２８Ｂともにオン状態であるとともに、インスリン送出装置２と血糖測定装置３とがデータ通信を行なえる状態にある。そのため、インスリン送出装置２は、制御部２３によって第１および第２スイッチ２８Ａ，２８Ｂともにオフ状態であると把握され、血糖測定装置３とデータの送受信を行なって、そのデータ通信に応じた処理を行なう状態とされる。インスリン送出装置２は、たとえば血糖測定装置３において測定して血糖値を受信する。インスリン送出装置２に送信されたデータは、図１６Ｂに示した状態とすることにより、そのままのデータとして、あるはこのデータに基づいて作成した較正データとしてインスリン送出装置２から連続血糖測定装置７に送信される。【０１１４】
また、インスリン送出装置２が外部の情報処理装置６とデータ通信を行う場合には、図１６Ｃに示した状態とされる。図１６Ｃに示した状態では、第１および第２スイッチ２８Ａ，２８Ｂともにオフ状態であるとともに、通信部２２（送信部２２Ａおよび受信部２２Ｂ）が露出している。そのため、インスリン送出装置２は、制御部２３によって第１および第２スイッチ２８Ａ，２８Ｂともにオフ状態であると把握され、外部の情報処理装置６とデータを送受信して、そのデータ通信に応じた処理を行なう状態とされる。これにより、インスリン送出装置２におけるインスリンの投与履歴、連続血糖測定装置３における測定結果（血糖値）を外部の情報処理装置６に送信することができる。【０１１５】
血糖値制御システム１Ｃでは、インスリン送出装置２との通信対象を、インスリン送出装置２に対する血糖測定装置３の位置を選択することにより選択することができる。このような血糖測定装置３の位置を選択は、使用者が手動（または自動）インスリン送出装置２に対して血糖測定装置３を相対動させて第１および第２スイッチ２８Ａ，２８Ｂのオン・オフ状態の組み合わせを選択することにより簡易に行なうことができる。
【図１】
0005509071.tif 000002
【図２】
0005509071.tif 000003
【図３】
0005509071.tif 000004
【図４】
0005509071.tif 000005
【図５】
0005509071.tif 000006
【図６】
0005509071.tif 000007
【図７】
0005509071.tif 000008
【図８】
0005509071.tif 000009
【図９】
0005509071.tif 000010
【図１０】
0005509071.tif 000011
【図１１】
0005509071.tif 000012
【図１２】
0005509071.tif 000013
【図１３】
0005509071.tif 000014
【図１４】
0005509071.tif 000015
【図１５】
0005509071.tif 000016
【図１６】
0005509071.tif 000017
【図１７】
0005509071.tif 000018